(57)【特許請求の範囲】
【請求項１】
巻胴部と、前記巻胴部の第１の端部側に形成された第１の鍔状部と、前記巻胴部の前記第１の端部とは反対側の第２の端部側に形成された第２の鍔状部とを備えたボビンと、コイルワイヤを前記ボビンの前記巻胴部に巻回して構成されたコイルと、前記コイルを構成する前記コイルワイヤの第１の終端部と第２の終端部とが基端部にそれぞれ接続された第１の端子と第２の端子とを備えたコネクタとを有するソレノイドであって、
前記ボビンは、前記巻胴部の前記第２の端部側に形成されると共に前記第２の鍔状部に近接して配置された第３の鍔状部をさらに備え、
前記コネクタは、第１の筐体構成部材と第２の筐体構成部材をさらに備え、前記第１の筐体構成部材は、前記ボビンの前記巻胴部の中心軸と平行又は略平行で、かつ、前記巻胴部に対向していない一面を開口部とした略箱形状に形成されると共に前記第１の端子及び前記第２の端子の前記基端部側を支持する本体部と、前記ボビンの前記第２の鍔状部と前記第３の鍔状部との間に挿入されると共に前記第２の鍔状部及び前記第３の鍔状部に固定された第１の接続部とを備え、前記第２の筐体構成部材は、前記第１の筐体構成部材の前記開口部を閉止するように形成された本体部と、前記ボビンの前記第２の鍔状部と前記第３の鍔状部との間に挿入されると共に前記第２の鍔状部及び前記第３の鍔状部に固定された第２の接続部とを備えていることを特徴とするソレノイド。
【請求項２】
前記コネクタは、前記第１の筐体構成部材において、前記本体部の前記開口部が略矩形状に形成され、前記本体部の前記開口部を囲み、かつ、前記ボビンの前記巻胴部の中心軸と平行又は略平行な周辺部のうち前記第１の接続部から相対的に遠い側の周辺部が他の周辺部よりも手前に突出すると共に、前記第１の接続部側の面に溝が形成され、前記第２の筐体構成部材において、前記本体部が略矩形板形状に形成されると共に、前記第２の接続部から相対的に遠い側の縁辺部に前記周辺部の前記溝に挿入された稜線状突出部が形成されていることを特徴とする請求項１に記載のソレノイド。
【請求項３】
前記コネクタは、前記第２の筐体構成部材において、前記本体部の前記第１の筐体構成部材側の面に、前記第１の筐体構成部材側の前記開口部に進入すると共に、前記開口部の形状に対応する略直方体形状に形成された閉止突出部が形成されていることを特徴とする請求項２に記載のソレノイド。
【請求項４】
前記ボビンは、前記第３の鍔状部に切欠部が形成され、
前記コネクタは、前記第１の筐体構成部材の前記第１の接続部及び前記第２の筐体構成部材の前記第２の接続部において、先端側部分の厚みが前記ボビンの前記第２の鍔状部と前記第３の鍔状部との間隙と等しく又はほぼ等しく形成され、基端側部分の厚みが前記先端側部分の厚みよりも大きく形成され、前記先端側部分と前記基端側部分との段差面が前記第３の鍔状部の前記切欠部に当接するように形成されていることを特徴とする請求項１から請求項３のいずれか一項に記載のソレノイド。
【請求項５】
前記コネクタは、前記第１の筐体構成部材において、前記ボビンの前記巻胴部の中心軸と直交する又は略直交する方向に延在すると共に、外部に開口する第１の貫通孔と第２の貫通孔とが前記本体部に形成され、前記第１の端子と前記第２の端子とが前記第１の貫通孔と前記第２の貫通孔とにそれぞれ挿入されていることを特徴とする請求項１から請求項４のいずれか一項に記載のソレノイド
【発明の詳細な説明】
【技術分野】
【０００１】
本発明は、ソレノイドに関し、特にコネクタがケース又はフレーム状のヨークの側方に突出している構成を有するソレノイドに関する。
【背景技術】
【０００２】
近年、ソレノイドの実装を容易にするために、コネクタを一体的に設けているものが多くなっている。小型のソレノイドにおいては、コネクタをボビンと一体的に設けるなど、コネクタも小型化することを意識した発明が多くなされている。
【０００３】
図１５は、従来技術に係るソレノイドの構造を示す図であり、（ａ）は断面図、（ｂ）はコネクタと周辺部の拡大斜視図である。図１５において、１００はソレノイド、１０１はヨーク構成部材、１０２は固定磁極、１０３は可動磁極、１０４はコイル、１０５はヨーク構成部材、１０６はボビン、１０７は第１の鍔状部、１０８は第２の鍔状部、１０９は貫通孔、１１０はコネクタ、１１１は段差部、１１２及び１１３はスリット、１１４及び１１５は端子である。
【０００４】
図１５は、特開２００２−８９１９公報において開示されている発明である。ソレノイド１００は、図１５（ａ）に示すように、ケースとしての役割も持つヨーク構成部材１０１及び１０５に囲まれたフィールドコアの内部に、固定磁極１０２、可動磁極１０３、コイル１０４、ボビン１０６及びコネクタ１１０を設けている。ボビン１０６は、第１の鍔状部１０７に対して第２の鍔状部１０８をより厚く形成しており、図１５（ｂ）に示すように、貫通孔１０９を避けて形成した段差部１１１にコネクタ１１０を設けている。コネクタ１１０の端子１１４及び１１５は、スリット１１２及び１１３を介してコイル１０４を構成するコイルワイヤの終端部に接続されている。
【０００５】
以上の構成によれば、フィールドコアのコーナー部にコネクタ１１０を配置するようにしたので、小型化が図ることが容易である。また、フィールドコアから突出する突出部を少なくできるので、空間的な障害を少なくすることもできる。ところで、最近では、ソレノイドを実装している機器において、デバイスの実装密度をさらに高めることが要求されている。ソレノイドにおいては、ソレノイド全体を小型化するという要求のほかに、コネクタの配置及び端子が延在する方向における自由度を高めることが求められている。すなわち、コネクタをボビンの鍔状部の上に配置するだけでなく、鍔状部から離隔した部位、つまり、ソレノイドのケース又はヨークの外側となる部位に設け、さらに端子を任意の方向に向けて配置可能とすることが新たな課題になってきている。図１５に示した構成では、コネクタ１１０の全長をさらに長いものにすれば、ヨーク構成部材１０１の外側に張り出すように設けることができる。しかし、ソレノイド１００の中心軸に対するコネクタ１１０の位置や、端子１１４及び１１５が延在する方向は変更できない。これでは、実装する基板上の部品配置などをソレノイド１００のコネクタ１１０の位置や端子１１４及び１１５が延在する方向に合わせなければならず、課題を解決することにはならない。
【先行技術文献】
【特許文献】
【０００６】
【特許文献１】特開２００２−８９１９公報
【発明の概要】
【発明が解決しようとする課題】
【０００７】
本発明は、上記課題を解決するために、ソレノイドにおいて、コネクタをケース又はフレーム状のヨークの側方に張り出すように設けることができ、端子の延在する方向を任意に変更することが可能な構造を有するソレノイドを提供することを目的とする。
【課題を解決するための手段】
【０００８】
請求項１に記載の発明は、巻胴部と、前記巻胴部の第１の端部側に形成された第１の鍔状部と、前記巻胴部の前記第１の端部とは反対側の第２端部側に形成された第２の鍔状部とを備えたボビンと、コイルワイヤを前記ボビンの前記巻胴部に巻回して構成されたコイルと、前記コイルを構成する前記コイルワイヤの第１の終端部と第２の終端部とが基端部にそれぞれ接続された第１の端子と第２の端子とを備えたコネクタとを有するソレノイドであって、前記ボビンは、前記巻胴部の第２の端部側に形成されると共に前記第２の鍔状部に近接して配置された第３の鍔状部をさらに備え、前記コネクタは、第１の筐体構成部材と第２の筐体構成部材をさらに備え、前記第１の筐体構成部材は、前記ボビンの前記巻胴部の中心軸と平行又は略平行で、かつ、前記巻胴部に対向していない一面を開口部とした略箱形状に形成されると共に前記第１の端子及び前記第２の端子の前記基端部側を支持する本体部と、前記ボビンの前記第２の鍔状部と前記第３の鍔状部との間に挿入されると共に前記第２の鍔状部及び前記第３の鍔状部に固定された第１の接続部とを備え、前記第２の筐体構成部材は、前記第１の筐体構成部材の前記開口部を閉止するように形成された本体部と、前記ボビンの前記第２の鍔状部と前記第３の鍔状部との間に挿入されると共に前記第２の鍔状部及び前記第３の鍔状部に固定された第２の接続部とを備えていることを特徴とするソレノイドである。
【０００９】
請求項２に記載の発明は、請求項１に記載の発明において、前記コネクタは、前記第１の筐体構成部材において、前記本体部の前記開口部が略矩形状に形成され、前記本体部の前記開口部を囲み、かつ、前記ボビンの前記巻胴部の中心軸と平行又は略平行な周辺部のうち前記第１の接続部から相対的に遠い側の周辺部が他の周辺部よりも手前に突出すると共に、前記第１の接続部側の面に溝が形成され、前記第２の筐体構成部材において、前記本体部が略矩形板形状に形成されると共に、前記第２の接続部から相対的に遠い側の縁辺部に前記周辺部の前記溝に挿入された稜線状突出部が形成されていることを特徴とするソレノイドである。
【００１０】
請求項３に記載の発明は、請求項２に記載の発明において、前記コネクタは、前記第２の筐体構成部材において、前記本体部の前記第１の筐体構成部材側の面に、前記第１の筐体構成部材側の前記開口部に進入すると共に、前記開口部の形状に対応する略直方体形状に形成された閉止突出部が形成されていることを特徴とするソレノイドである。
【００１１】
請求項４に記載の発明は、請求項１から請求項３のいずれか一項に記載の発明において、前記ボビンは、前記第３の鍔状部に切欠部が形成され、前記コネクタは、前記第１の筐体構成部材の前記第１の接続部及び前記第２の筐体構成部材の前記第２の接続部において、基端側部分の厚みが前記ボビンの前記第２の鍔状部と前記第３の鍔状部との間隙と等しく又はほぼ等しく形成され、先端側部分の厚みが前記基端側部分の厚みよりも大きく形成され、前記基端側部分と前記先端側部分との段差面が前記第３の鍔状部の前記切欠部に当接するように形成されていることを特徴とするである。
【００１２】
請求項５に記載の発明は、請求項１から請求項４のいずれか一項に記載の発明において、前記コネクタは、前記第１の筐体構成部材において、前記ボビンの前記巻胴部の中心軸と直交する又は略直交する方向に延在すると共に、外部に開口する第１の貫通孔と第２の貫通孔とが前記本体部に形成され、前記第１の端子と前記第２の端子とが前記第１の貫通孔と前記第２の貫通孔とにそれぞれ挿入されていることを特徴とするソレノイドである。
【発明の効果】
【００１３】
請求項１に記載の発明によれば、コイルワイヤの終端部とリード線との接続部分を収納し、かつ、保護するために、ボビンの一端部に２つの鍔状部を近接して設ける、つまり二重に鍔状部を設けることがしばしば行われるが、二重に設けた鍔状部の間隙に第１の接続部と第２の接続部を挿入して固定するので、ボビンの側方に張り出したコネクタをボビンによって安定的に支持させることが容易になる。
【００１４】
請求項２に記載の発明によれば、第１の筐体構成部材の手前に突出した周辺部の溝に第２の筐体構成部材の稜線状突出部が係止された状態になるので、ソレノイドの組立工程において、外部から加わる衝撃などによって第１の筐体構成部材と第２の筐体構成部材とが分離することを防止することができる。
【００１５】
請求項３に記載の発明によれば、第２の筐体構成部材の閉止突出部によって第１の筐体構成部材の開口部を確実に閉止することができる。さらに、ソレノイドの組立工程において、外部から加わる衝撃などによって、第２の筐体構成部材の組付位置が垂直又は水平方向にすれることを防止できる。
【００１６】
請求項４に記載の発明によれば、第３の鍔状部の切欠部を、第１の接続部及び第２の接続部の段差面が第３の鍔状部に切欠部に当接した状態で第１の筐体構成部材及び第２の筐体構成部材を接着するときに、第１の筐体構成部材及び第２の筐体構成部材が所定の位置に正しく接着されるような形状とすることによって、ボビンに対してコネクタを常に正しく接着することが可能となる。
【００１７】
請求項５に記載の発明によれば、第１の端子及び第２の端子を第１の筐体構成部材に装着することが容易になる。
【図面の簡単な説明】
【００１８】
【図１】本発明の第１の実施の形態に係るソレノイドのボビン及びを示す部分斜視図である。
【図２】本発明の第１の実施の形態に係るソレノイドの断面図である。
【図３】本発明の第１の実施の形態に係るソレノイドの第１の筐体構成部材を示す図（１）であり、（ａ）は斜視図、（ｂ）は斜視図（隠れ線有）である。
【図４】本発明の第１の実施の形態に係るソレノイドの第１の筐体構成部材を示す図（２）であり、（ａ）は正面図、（ｂ）は背面図である。
【図５】本発明の第１の実施の形態に係るソレノイドの第１の筐体構成部材を示す図（３）であり、（ａ）は平面図、（ｂ）は底面図である。
【図６】本発明の第１の実施の形態に係るソレノイドの第２の筐体構成部材を示す図（１）であり、（ａ）は斜視図（隠れ線有）、（ｂ）は斜視図である。
【図７】本発明の第１の実施の形態に係るソレノイドの第２の筐体構成部材を示す図（２）であり、（ａ）は正面図、（ｂ）は平面図、（ｃ）は側面図である。
【図８】本発明の第１の実施の形態に係るソレノイドの第１の筐体構成部材及び端子を示す斜視図である。
【図９】本発明の第１の実施の形態に係るソレノイドのコネクタの組立手順を示す平面図（１）である。
【図１０】本発明の第１の実施の形態に係るソレノイドのコネクタの組立手順を示す平面図（２）である。
【図１１】本発明の第１の実施の形態に係るソレノイドのコネクタの組立手順を示す平面図（３）である。
【図１２】本発明の第１の実施の形態に係るソレノイドのコネクタの組立手順を示す平面図（４）である。
【図１３】本発明の第１の実施の形態に係るソレノイドのコネクタの組立手順を示す平面図（５）である。
【図１４】本発明の第２の実施の形態に係るソレノイドのコネクタを示す平面図である。
【図１５】従来技術に係るソレノイドの構造を示す図であり、（ａ）は断面図、（ｂ）はコネクタと周辺部の拡大斜視図である。
【発明を実施するための形態】
【００１９】
まず、本発明の第１の実施の形態に係るソレノイドの全体概要について説明する。図１は、本発明の第１の実施の形態に係るソレノイドのボビン及びを示す部分斜視図である。図１において、１０は第１の筐体構成部材、３０は第２の筐体構成部材、４５はコネクタ、５０は第１の端子、５３は第２の端子、６０はボビン、６１は第１の鍔状部、６２は第２の鍔状部、６３は第３の鍔状部、６４は切欠部、６５は貫通孔、６６は間隙部、６７は巻胴部、６８はコイルである。また、図２は、本発明の第１の実施の形態に係るソレノイドの断面図である。図２において、１１は右側面部、１６は上面部、２１は配線路、２２は左側面部、２３は下面部、５６はコイルワイヤ終端部、５７はハンダ、５８はコイルワイヤ終端部、５９はハンダ、７０はソレノイド、７１は固定磁極、７２は可動磁極、７３は補助磁極、７４は蓋、７５はシャフト、７６はケース、７７は切欠部であり、その他の符号は図１と同じものを示す。
【００２０】
本発明の第１の実施の形態に係るソレノイドは、コネクタをケース又はフレーム状のヨークの側方に張り出すように設けることができる点に特徴がある。また、この形態に係るソレノイドは、大きさに関して特に限定されるものではないが、小型のものに特に好ましく適用できる。例えば、事務機器などに実装される径２０ｍｍ以下の小型のソレノイドではコネクタも非常に小さいものとなるので、コネクタをケースに対してねじ止めすることが難しくなるが、本発明はこれを鑑みてねじ止めによらずに固定できるようにしている。すなわち、図１に示すように、コネクタ４５は、第１の筐体構成部材１０、第２の筐体構成部材３０、並びに、第１の端子５０及び第２の端子５３から構成されている。第１の筐体構成部材１０及び第２の筐体構成部材３０は、第２の鍔状部６２及び第３の鍔状部６３に対して接着されており、ボビン６０の側方に張り出している。また、図２に示すように、ボビン６０を設けているソレノイド７０は、ケース７６の切欠部７７を介してコネクタ４５をケース７６の外部に配置している。また、平面視において、第１の筐体構成部材１０及び第２の筐体構成部材３０からなるコネクタボックスの中心線は、ボビン６０の中心点とほぼ重なる。なお、平面視は、補助磁極７３に正対した上で、補助磁極７３側から固定磁極７１側を見下ろす方向の視線と定義し、以下の平面視も応用のものとする。さらに、第１の端子５０及び第２の端子５３は、このコネクタボックスの中心線と第２の鍔状部６２の円形の輪郭線が交わる点における接線とほぼ平行に延在している。
【００２１】
また、ソレノイド７０は、略円筒形状に形成されたケース７６の内部に、固定磁極７１、可動磁極７２、シャフト７５、ボビン６０、コイル６８が収納されている。ケース７６の一方の端部は固定磁極７１によって閉止されており、他方の端部は蓋７４によって閉止されている。シャフト７５は、可動磁極７２の貫通孔に嵌合されており、さらにその先端部は補助磁極７３の開口部に嵌合されている。コイル６８に通電すると、固定磁極７１、ケース７６、蓋７４、補助磁極７３及び可動磁極７２を巡る磁気回路が生成されて、可動磁極７２が固定磁極７１に吸引される。したがって、コネクタ４５の第１の端子５０及び第２の端子５３は、可動磁極７２の摺動方向、つまり、シャフト７５の中心軸方向に対して直交する方向に延在している。ボビン６０は、貫通孔６５が形成された巻胴部６７の固定磁極７１に近い端部側に第１の鍔状部６１が形成され、蓋７４に近い端部側に第２の鍔状部６２及び第３の鍔状部６３が形成されている。第１の鍔状部６１、第２の鍔状部６２及び第３の鍔状部６３は、略円板形状に形成されている。第２の鍔状部６２と第３の鍔状部６３との間隙部６６は、通常のソレノイドの場合、コイルワイヤ終端部とリード線との接続部の収納に利用するが、本発明では後述するようにコネクタ４５の固定に利用している。さらに、第１の筐体構成部材１０及び第２の筐体構成部材３０は、大部分がケース７６の側方に張り出した状態になっている。なお、本発明は、ケース７６のような円筒形状のケースを持つソレノイドだけではなく、いわゆるオープンフレームソレノイドのようなフレーム状（矩形状）のヨークを持つソレノイドにも好ましく適用できる。
【００２２】
さらに、本発明の第１の実施の形態に係るソレノイドの第１の筐体構成部材について詳しく説明する。図３は、本発明の第１の実施の形態に係るソレノイドの第１の筐体構成部材を示す図（１）であり、（ａ）は斜視図、（ｂ）は斜視図（隠れ線有）である。図３において、１２は突出周辺部、１３は溝、１７は基端側部分、１８は先端側部分、１９は第１の接続部、２３は下面部、２４は段差面、２５は開口部、２６は背面部、２７は第２の貫通孔、２８は第１の貫通孔であり、その他の符号は図１及び図２と同じものを示す。また、図４は、本発明の第１の実施の形態に係るソレノイドの第１の筐体構成部材を示す図（２）であり、（ａ）は正面図、（ｂ）は背面図である。図４において用いた符号は、すべて図１及び図３と同じものを示す。さらに、図５は、１４は傾斜面、１５は傾斜面、２０は鍔状部対応部分、２９は本体部であり、その他の符号は図１及び図２と同じものを示す。
【００２３】
この実施の形態に係るソレノイド７０の第１の筐体構成部材１０は、コネクタ４５のケースを構成するものであり、図３及び図４に示すように、略直方体形状の本体部２９と略板形状の第１の接続部１９とを備えている。本体部２９は、右側面部１１、上面部１６、左側面部２２、下面部２３及び背面部２６の五面を壁面としており、背面部２６に背向する正面側を開口部２５としている。さらに、本体部２９の内部には、背面部２６に開口している第１の貫通孔２８及び第２の貫通孔２７が形成されている。第１の貫通孔２８と第２の貫通孔２７とは、第１の端子５０と第２の端子５３とをそれぞれ挿入して保持するために形成されており、第１の端子５０と第２の端子５３との形状及び大きさに対応する形状及び大きさに形成されている。また、右側面部１１、上面部１６、下面部２３及び背面部２６の外面が平坦に形成されているのに対して、左側面部２２の外面は２の鍔状部６２に対応した円筒状の凹面に形成されている。すなわち、コネクタ４５をボビン６０に接着したときに、左側面部２２が第２の鍔状部６２に接した状態になる。そこで、左側面部２２を円筒状の凹面に形成し、第２の鍔状部６２にできる限り密着する、又は、密着に近い状態で接することによって、コネクタ４５とボビン６０との間の無駄な間隙を生じないようにしている。
【００２４】
また、左側面部２２の上端からは、第１の接続部１９が接続されている。第１の接続部１９は、コネクタ４５をボビン６０に接続するための手段であり、左側面部２２の左方、つまり、ボビン６０側に向かって延びるように平坦に形成されている。さらに、図４に示すように、第１の接続部１９は、左側面部２２に近い基端側部分１７と左側面部２２から遠い先端側部分１８との肉厚を異なるものとし、先端側部分１８がボビン６０に接着される構成としている。なわち、図１に示すように、先端側部分１８の肉厚を第２の鍔状部６２と第３の鍔状部６３との間隙部６６に対応する肉厚に形成している。さらに、基端側部分１７は、先端側部分１８の肉厚と第３の鍔状部６３の肉厚の和と同じ肉厚とし、先端側部分１８を間隙部６６に挿入して接着したときに、基端側部分１７と第３の鍔状部６３との上面が同じ高さになるようにしている。また、基端側部分１７の前面側は、図１に示す第３の鍔状部６３の切欠部６４と同じ長さとなるように形成している。
【００２５】
また、基端側部分１７及び先端側部分１８の先端面は、第１の筐体構成部材１０及び第２の筐体構成部材３０からなるコネクタボックスの中心線と直交する。くわえて、図５に示すように、第１の接続部１９の背面部２６側の端部近傍を切欠部６４に対応した円弧状の輪郭を持つ形状としている。第１の接続部１９を以上のように形成することによって、コネクタ４５とボビン６０との視覚的な一体感を高めている。さらに、コネクタ４５とボビン６０との間に無用な段差や間隙を生じないようにしている。くわえて、ソレノイド７０の組立工程において、段差や間に工具が引っ掛かって組立不良を生じることを防止可能としている。また、図２及び図３（ｂ）に示すように、本体部２９の開口部２５内の空間から、第１の接続部１９の基端側部分１７の下側を経由して先端側部分１８の上に開口している配線路２１が形成されている。配線路２１は、コイル６８のコイルワイヤ終端部５６及びコイルワイヤ終端部５８を開口部２５内の空間に導出するための通路であり、コイルワイヤ終端部５６及びコイルワイヤ終端部５８を保護する役割も持つ。また、第２の筐体構成部材３０側が全体にわたって開口しており、この開口している側からコイルワイヤを容易に挿入することができる。特に、小型のソレノイドにおいて使用するコイルのコイルワイヤは非常に細いものであることが多く、ソレノイド７０の組立工程において絶縁被覆に疵を付けと絶縁性が著しく低下することになる。この実施の形態におけるソレノイド７０では、コイルワイヤ終端部５６及びコイルワイヤ終端部５８が第１の接続部１９によって保護されるので、ソレノイド７０の組立工程におけるこのようなトラブルの発生を防止することが可能となる。
【００２６】
さらに、図５に示すように、本体部２９の開口部２５は、下面部２３の手前に段差面２４を設けて、後述するように、第２の筐体構成部材３０の閉止突出部が軽く嵌合されるようにしている。さらに、開口部２５の右側面部１１側、つまり第１の接続部１９の周辺部のうち、第１の接続部１９から相対的に遠い側（方向に関係なく、互いの空間距離が遠い側）の周辺部を手前側に突出した突出周辺部１２としている。突出周辺部１２は、第１の接続部１９側の面に溝１３を形成しており、後述する第２の筐体構成部材３０の稜線状突出部が挿入される。これによって、ソレノイド７０の組立途中において、第２の筐体構成部材３０が脱落することを防止している。さらに、溝１３の両側部の角を面取りして、傾斜面１４及び傾斜面１５を形成し、稜線状突出部の挿入を容易にしている。なお、第１の筐体構成部材１０は、第１の端子５０及び第２の端子５３を図１に示した方向と反対側に向かって延在させる必要がある場合には、開口部２５の面を基準面として面対称となる形状に形成すればよい。
【００２７】
続けて、本発明の第１の実施の形態に係るソレノイドの第２の筐体構成部材について詳しく説明する。図６は、本発明の第１の実施の形態に係るソレノイドの第２の筐体構成部材を示す図（１）であり、（ａ）は斜視図（隠れ線有）、（ｂ）は斜視図である。図６において、３１は本体部、３２は稜線状突出部、３５は第２の接続部、３６は先端側部分、３７は基端側、４０は閉止突出部であり、その他の符号は図１と同じものを示す。また、図７は、本発明の第１の実施の形態に係るソレノイドの第２の筐体構成部材を示す図（２）であり、（ａ）は正面図、（ｂ）は平面図、（ｃ）は側面図である。図７において、３３は傾斜面、３４は傾斜面、３８は鍔状部対応部分、３９は曲面部、４１は傾斜面、４２は傾斜面であり、その他の符号は図６及び図１ｇと同じものを示す。
【００２８】
この実施の形態に係るソレノイド７０の第２の筐体構成部材３０は、第１の筐体構成部材１０と共にコネクタ４５のケースを構成するものであり、図６及び図７に示すように、略板形状の本体部３１と第２の接続部３５とを備えている。本体部３１と第２の接続部３５とは、それぞれ第１の筐体構成部材１０の本体部２９と第１の接続部１９とに対して接着されることによって、コネクタ４５の外殻となる。本体部２９は、全体が矩形板状に形成されており、ボビン６０の中心軸に対して平行又はほぼ平行に形成されている。また、本体部２９は、第１の筐体構成部材１０の開口部２５側に矩形状で平坦に形成された閉止突出部４０が突出している。閉止突出部４０は、開口部２５に対応する形状及び大きさに形成されており、手作業等によって開口部２５に圧入する。よって、ソレノイド７０の組立中又は組立後に、第２の筐体構成部材３０が垂直又は水平方向にすれることを防止できる。さらに、閉止突出部４０が開口部２５に軽く嵌合された状態になるので、塵埃等の侵入を防ぐことができる。くわえて、閉止突出部４０が開口部２５に軽く嵌合された状態になると、閉止突出部４０が第１の端子５０及び第２の端子５３と軽く当接する。つまり、後述する手順によって第１の端子５０及び第２の端子５３を第１の筐体構成部材１０に挿入したときに挿入が不十分であると、閉止突出部４０を開口部２５に圧入するときに、閉止突出部４０によって第１の端子５０及び第２の端子５３が適正な位置まで押し込まれることになる。なお、前述のように、第１の筐体構成部材１０を開口部２５の面を基準面として面対称となる形状に形成する場合には、第２の筐体構成部材３０も閉止突出部４０の面を基準面として面対称に形成すればよい。
【００２９】
さらに、本体部３１の右端面には、稜線状突出部３２があたかも稜線状に延在している。稜線状突出部３２は、第１の筐体構成部材１０の溝１３に挿入されるものであり、ソレノイド７０の組立工程などにおいて、外部からの衝撃や振動によって第２の筐体構成部材３０が第１の筐体構成部材１０から離脱することを防止するものである。すなわち、第１の筐体構成部材１０と第２の筐体構成部材３０との接着後、接着剤が十分に硬化する前にソレノイド７０の組立を開始すると、本体部３１の右端部は、ボビン６０に近い側と異なり工具が引っ掛かるなどのトラブルを発生することがある。このようなトラブルが起きると、第２の筐体構成部材３０の本体部３１と第１の筐体構成部材１０との間に間隙を生じたまま接着剤が硬化して不良品となる。稜線状突出部３２は、このようなトラブルを未然に防ぐことが可能である。また、稜線状突出部３２の先端側の角を面取りして、傾斜面３３及び傾斜面３４を形成している。傾斜面３３及び傾斜面３４を形成することによって、稜線状突出部３２を溝１３に挿入する際に、稜線状突出部３２の先端側の角が溝１３の周辺部に引っ掛かることがない。
【００３０】
第２の接続部３５は、本体部３１の左端面の上部から、ボビン６０の中心軸と直交する方向に、かつ、ボビン６０側に延在している。また、第２の接続部３５は、先端側部分３６と基端側部分３７との肉厚を、それぞれ第１の接続部１９の基端側部分１７と先端側部分１８と同じ肉厚に形成されている。さらに、第２の接続部３５の鍔状部対応部分３８は、図１に示すように、第１の筐体構成部材１０の鍔状部対応部分２０及び第３の鍔状部６３と共に、１つの円弧状の輪郭を構成している。くわえて、先端側部分３６を第２の鍔状部６２と第３の鍔状部６３との間に挿入することを容易にするために、先端側部分３６の先端側の角を面取りして、傾斜面４１及び傾斜面４２を形成している。また、本体部３１の第２の接続部３５の下方の部分は、図７（ｂ）に示すように、曲面部３９としている。曲面部３９は、第２の鍔状部６２に対応した形状に形成されている。
【００３１】
さらに、本発明の第１の実施の形態に係るソレノイドのコネクタの端子について説明する。図８は、本発明の第１の実施の形態に係るソレノイドの第１の筐体構成部材及び端子を示す斜視図である。図８において、５１は本体部、５２はハンダ付けランド部、５４は本体部、５５はハンダ付けランド部であり、その他の符号は図１及び図３と同じものを示す。
【００３２】
この実施の形態に係るソレノイド７０の第１の端子５０と第２の端子５３とは、それぞれ長方形板形状に形成された本体部５１と本体部５４との基端部に、ボビン６０側に延在するハンダ付けランド部５２とハンダ付けランド部５５とをそれぞれ形成している。よって、第１の端子５０と第２の端子５３は、平面視において「Ｌ」を左右対称にしたような外観を呈している。本体部５１と本体部５４とは、基端部側が第１の筐体構成部材１０の第１の貫通孔２８と第２の貫通孔２７とにそれぞれ挿入され、先端部側が第１の筐体構成部材１０の本体部２９から突出して他のコネクタに電気的に接続される部分となる。ハンダ付けランド部５２とハンダ付けランド部５５とは、図２に示しているコイルワイヤ終端部５６とコイルワイヤ終端部５８とをハンダ５７とハンダ５９によって接続するためのランドであり、本体部２９の内部空間に収納可能な長さに形成されている。なお、第１の端子５０と第２の端子５３とは、同一の形状及び大きさであり、両者を入れ替えて使用することも可能である。
【００３３】
次に、本発明の第１の実施の形態に係るソレノイドのコネクタの組立手順の概要について説明する。図９は、本発明の第１の実施の形態に係るソレノイドのコネクタの組立手順を示す平面図（１）である。図９において、５６はコイルワイヤ終端部、５７はハンダであり、その他の符号は図８と同じものを示す。また、図１０は、本発明の第１の実施の形態に係るソレノイドのコネクタの組立手順を示す平面図（２）である。図１０において用いた符号は、すべて図８及び図９と同じものを示す。さらに、図１１は、本発明の第１の実施の形態に係るソレノイドのコネクタの組立手順を示す平面図（３）である。図１１において用いた符号は、すべて図８及び図９と同じものを示す。くわえて、図１２は、本発明の第１の実施の形態に係るソレノイドのコネクタの組立手順を示す平面図（４）である。図１２において用いた符号は、すべて図８及び図９と同じものを示す。また、図１３は、本発明の第１の実施の形態に係るソレノイドのコネクタの組立手順を示す平面図（５）である。図１３において用いた符号は、すべて図８及び図９と同じものを示す。なお、端子に関わる組立手順は、便宜上第１の端子５０のみについて説明するが、第２の端子５３についても同じ組立手順となる。
【００３４】
まず、コイルのコイルワイヤ終端部５６を第１の筐体構成部材１０の配線路２１を通す前に、図９に示すように、第１の端子５０のハンダ付けランド部５２にコイルワイヤ終端部５６の端部近傍をハンダ付けし、ハンダ５７によってコイルワイヤ終端部５６と第１の端子５０との電気的接続を確保する。次に、図１０に示すように、第１の端子５０の本体部５１を第１の筐体構成部材１０の第１の貫通孔２８に先端側から挿入して行くと共に、コイルワイヤ終端部５６を配線路２１に配置する。そして、図１１に示すように、ハンダ付けランド部５２が第１の貫通孔２８の側方部分に当接して挿入が規制されたところが第１の端子５０の挿入の停止点となる。次に、図１２に示すように、第１の筐体構成部材１０の開口部２５と第２の筐体構成部材３０の稜線状突出部３２に接着剤を塗布したら、稜線状突出部３２を第１の筐体構成部材１０の溝１３に挿入し、続けて、閉止突出部４０を開口部２５に開閉扉を閉じるようにして挿入して行く。図１３に示すように、第１の筐体構成部材１０と第２の筐体構成部材３０とが完全に一体になったら、第１の筐体構成部材１０の第１の接続部１９及び第２の筐体構成部材３０の第２の接続部３５に接着剤を塗布し、ボビン６０の第２の鍔状部６２及び第３の鍔状部６３に接着する。なお、第１の筐体構成部材１０及び第２の筐体構成部材３０は、ボビン６０によって固定することが望ましいが、圧入、ネジ止め、テープ貼り付けなどによって固定してもよい。
【００３５】
以上のように、通常のソレノイドにおいてコイルワイヤ終端部とリード線との接続部分を収納し、かつ、保護するために、ボビンの一端部に２つの鍔状部を近接して設ける、つまり二重に鍔状部を設けることがしばしば行われるが、本発明の第１の実施の形態に係るソレノイド７０は、第２の鍔状部６２と第３の鍔状部６３との間隙部６６に第１の接続部１９と第２の接続部３５を挿入して接着するので、ボビン６０の側方に張り出したコネクタ４５をボビン６０によって安定的に支持させることが容易になる。また、第１の筐体構成部材１０の手前に突出した周辺部の溝１３に第２の筐体構成部材３０の稜線状突出部３２が係止された状態になるので、ソレノイド７０の組立工程において、外部から加わる衝撃などによって第１の筐体構成部材１０と第２の筐体構成部材３０とが分離することを防止することができる。さらに、第２の筐体構成部材３０の閉止突出部４０によって第１の筐体構成部材１０の開口部２５を確実に閉止することができる。さらに、ソレノイド７０の組立工程において、外部から加わる衝撃などによって、第２の筐体構成部材３０の組付位置が垂直又は水平方向にすれることを防止できる。くわえて、第３の鍔状部６３の切欠部６４を、第１の接続部１９及び第２の接続部３５の段差面が第３の鍔状部６３に切欠部６４に当接した状態で第１の筐体構成部材１０及び第２の筐体構成部材３０を接着するときに、第１の筐体構成部材１０及び第２の筐体構成部材３０が所定の位置に正しく接着されるような形状とすることによって、ボビン６０に対してコネクタ４５を常に正しく接着することが可能となる。また、第１の端子５０及び第２の端子５３を第１の筐体構成部材に装着することが容易になる。
【００３６】
さらに、本発明の第２の実施の形態に係るソレノイドについて説明する。図１４は、本発明の第２の実施の形態に係るソレノイドのコネクタを示す平面図である。図１４において、８０は第１の筐体構成部材、８１は鍔状部対応部分、８２は突出周辺部、８３は基端側部分、８４は先端側部分、８５は第１の接続部、９１は第２の接続部、９２は鍔状部対応部分、９３は稜線状突出部、９５は第２の端子、９６は本体部である。
【００３７】
本発明の第２の実施の形態に係るソレノイドは、第１の筐体構成部材８０及び第２の筐体構成部材９０の構成が第１の実施の形態に係るソレノイドと異なっている。すなわち、第１の筐体構成部材８０の第１の接続部８５と第２の筐体構成部材９０の第２の接続部９１との先端面は、第１の筐体構成部材８０及び第２の筐体構成部材９０からなるコネクタボックスの中心線に対して斜交するように形成されている。第１の実施の形態に係るソレノイドでは、第１の筐体構成部材１０及び第２の筐体構成部材３０からなるコネクタボックスの中心線と基端側部分１７及び先端側部分１８の先端面は直交しており、この点が相違する。また、第２の実施の形態に係るソレノイドにおいてこのように形成したことによって、第１の筐体構成部材８０の鍔状部対応部分８１の平面視における面積が第２の筐体構成部材９０の鍔状部対応部分９２よりもかなり大きいものとなっている。なお、第１の筐体構成部材８０において、基端側部分８３の肉厚が先端側部分８４の肉厚よりも厚くした構成は、第１の実施の形態に係るソレノイドと同じである。また、第２の筐体構成部材９０において、稜線状突出部９３が第１の筐体構成部材８０の突出周辺部８２に保持されている構成も同じである。さらに、図示していないボビン等の構成も、第１の筐体構成部材８０と同じである。
【００３８】
以上のように構成した第１の筐体構成部材８０及び第２の筐体構成部材９０は、第１の筐体構成部材８０及び第２の筐体構成部材９０からなるコネクタボックスの中心線に対して斜交している。よって、第２の端子９５の本体部９６と、図示していない第１の端子９５の本体部とは、第１の筐体構成部材８０及び第２の筐体構成部材９０からなるコネクタボックスの中心線と第２の鍔状部の円形の輪郭線が交わる点における接線と平行にならない。また、第１の接続部８５と第２の接続部２とをコネクタボックスの中心線に対してさらに斜交させれば、第２の端子９５の本体部９６と、図示していない第１の端子の本体部とをさらに別の角度を持たせることが可能である。言い換えると、本発明の第２の実施の形態に係るソレノイドの第１の接続部８５と第２の接続部９１とを適宜変形させることによって第２の端子９５及び図示していない第１の端子を様々な方向に向けることが可能となる。なお、端子の方向を変更するという観点ではなく、例えばボビンに対する接着を強固にする観点から、鍔状部対応部分８１と鍔状部対応部分９２の平面視における面積を同等の比率で大きくしてもよい。
【００３９】
本発明は以上に説明した内容に限定されるものではなく、例えば、ケースに代えてフレーム状のヨークを設けてもよく、直動型ではなく回転型のソレノイドに適用してもよい。このように、各請求項に記載した範囲を逸脱しない限りにおいて種々の変形を加えることが可能である。
【符号の説明】
【００４０】
１０    第１の筐体構成部材
１１    右側面部
１２    突出周辺部
１３    溝
１４    傾斜面
１５    傾斜面
１６    上面部
１７    基端側部分
１８    先端側部分
１９    第１の接続部
２０    鍔状部対応部分
２１    配線路
２２    左側面部
２３    下面部
２４    段差面
２５    開口部
２６    背面部
２７    第２の貫通孔
２８    第１の貫通孔
２９    本体部
３０    第２の筐体構成部材
３１    本体部
３２    稜線状突出部
３３    傾斜面
３４    傾斜面
３５    第２の接続部
３６    先端側部分
３７    基端側部分
３８    鍔状部対応部分
３９    曲面部
４０    閉止突出部
４１    傾斜面
４２    傾斜面
４５    コネクタ
５０    第１の端子
５１    本体部
５２    ハンダ付けランド部
５３    第２の端子
５４    本体部
５５    ハンダ付けランド部
５６    コイルワイヤ終端部
５７    ハンダ
５８    コイルワイヤ終端部
５９    ハンダ
６０    ボビン
６１    第１の鍔状部
６２    第２の鍔状部
６３    第３の鍔状部
６４    切欠部
６５    貫通孔
６６    間隙部
６７    巻胴部
６８    コイル
７０    ソレノイド
７１    固定磁極
７２    可動磁極
７３    補助磁極
７４    蓋
７５    シャフト
７６    ケース
７７    切欠部
８０    第１の筐体構成部材
８１    鍔状部対応部分
８２    突出周辺部
８３    基端側部分
８４    先端側部分
８５    第１の接続部
９０    第２の筐体構成部材
９１    第２の接続部
９２    鍔状部対応部分
９３    稜線状突出部
９５    第２の端子
９６    本体部
１００  ソレノイド
１０１  ヨーク構成部材
１０２  固定磁極
１０３  可動磁極
１０４  コイル
１０５  ヨーク構成部材
１０６  ボビン
１０７  第１の鍔状部
１０８  第２の鍔状部
１０９  貫通孔
１１０  コネクタ
１１１  段差部
１１２  スリット
１１３  スリット
１１４  端子
１１５  端子
【図１】
0006465336.tif 000002
【図２】
0006465336.tif 000003
【図３】
0006465336.tif 000004
【図４】
0006465336.tif 000005
【図５】
0006465336.tif 000006
【図６】
0006465336.tif 000007
【図７】
0006465336.tif 000008
【図８】
0006465336.tif 000009
【図９】
0006465336.tif 000010
【図１０】
0006465336.tif 000011
【図１１】
0006465336.tif 000012
【図１２】
0006465336.tif 000013
【図１３】
0006465336.tif 000014
【図１４】
0006465336.tif 000015
【図１５】
0006465336.tif 000016